(57)【要約】 【課題】  拡張性を有するメニュー画面カスタマイズ機能を備えたデジタルテレビジョン受信機、デジタルテレビジョン受信機のメニュー画面カスタマイズ方法、及びプログラムを提供する。【解決手段】  データ放送の所定チャンネルの所定ページを使用して、ユーザのテレビジョン受信機１に備えられているメニュー設定処理手段４０に合わせて送信される、メニュー画面のカスタマイズ用データに関してのスタイルシート（スキン)の中から、ユーザの嗜好にあったスタイルを選択することにより、カスタマイズ用データ取得手段６０が当該選択したスタイルに対応するメニュー画面のカスタマイズ用データを当該データ放送を介して取得する。【選択図】  図３
2005341026.tif 000002
【特許請求の範囲】
【請求項１】
メニュー設定手段を備えたデジタルテレビジョン受信機であって、
データ放送の所定チャンネルを使用して送信されるメニュー画面のカスタマイズ用データの中から、選択したスタイルに対応するメニュー画面のカスタマイズ用データを取得するカスタマイズ用データ取得手段
を備えていることを特徴とするデジタルテレビジョン受信機。
【請求項２】
メニュー設定手段を備えたデジタルテレビジョン受信機であって、
データ放送の所定チャンネルを使用して送信されるメニュー画面のカスタマイズ用データの中から、選択したスタイルに対応するメニュー画面のカスタマイズ用データを取得するカスタマイズ用データ取得手段と、
該カスタマイズ用データ取得手段によって取得したカスタマイズ用データに合わせて前記メニュー設定手段におけるメニュー画面の対応するパラメータを更新するカスタマイズ制御手段と
を備えていることを特徴とするデジタルテレビジョン受信機。
【請求項３】
メニュー設定処理機能を備えたデジタルテレビジョン受信機のメニュー画面カスタマイズ方法であって、
データ放送の所定チャンネルを使用して送信されるメニュー画面のカスタマイズ用データの中から、選択したスタイルに対応するメニュー画面のカスタマイズ用データを取得するカスタマイズ用データ取得ステップと、
該カスタマイズ用データ取得ステップによって取得したカスタマイズ用データに合わせて前記メニュー設定処理機能におけるメニュー画面の対応するパラメータを更新するカスタマイズ制御ステップと
を有するデジタルテレビジョン受信機のメニュー画面カスタマイズ方法。
【請求項４】
コンピュータを、
メニュー設定手段と、
データ放送の所定チャンネルを使用して送信されるメニュー画面のカスタマイズ用データの中から、選択したスタイルに対応するメニュー画面のカスタマイズ用データを取得するカスタマイズ用データ取得手段と、
該カスタマイズ用データ取得手段によって取得したカスタマイズ用データに合わせて前記メニュー設定手段におけるメニュー画面の対応するパラメータを更新するカスタマイズ制御手段と
して機能させるプログラム。
【発明の詳細な説明】
【技術分野】
【０００１】
本発明は、拡張性を有するメニュー画面カスタマイズ機能を備えたデジタルテレビジョン受信機、デジタルテレビジョン受信機のメニュー画面カスタマイズ方法、及びプログラムに関する。
【背景技術】
【０００２】
近年、デジタル放送化が推進され、日本国内においても、ＢＳ（Broadcasting Satellite）デジタル放送、ＣＳ（Communication Satellite）デジタル放送（ＣＳ１、ＣＳ２）、地上波デジタル放送の運用が開始されている。これらＢＳ，ＣＳ，地上波デジタル放送では、映像信号や音声信号とともに、データ信号として、チャンネル選局情報，番組情報といった視聴情報に加えて、プログラムも送信可能になっている。
【０００３】
例えば、特開平１１−３４６３５４号公報には、放送局から放送されたスクリプトに含まれるコンピュータプログラムに従って、番組の録画、料理番組の料理レシピの印刷、コマーシャルやテレビショッピング番組のカタログ請求等といった特定の目的を達する処理を自動的に行うテレビジョン受信機が示されている。
【０００４】
ところで、従来、ＴＶメニューを表示するメニュー画面に関して、メニュー自体の大きさ，フォントの大きさやタイプ，色合い，アイコン等を、ユーザの嗜好に合わせてカスタマイズできる機能を備えたテレビジョン受信機がある。このメニュー画面カスタマイズ機能を備えたテレビジョン受信機では、メニュー自体の大きさやスタイル等といったメニュー画面構成や、メニュー画面中におけるフォントの大きさやタイプ，色合い，アイコン等といった画面表示態様に関するカスタマイズ用データは、テレビジョン受信機の製品出荷段階で、既にメーカによってテレビジョン受信機に組み込まれて固定されている。
【０００５】
したがって、ユーザがメニュー画面のカスタマイズを行う場合は、予め定められた所定操作を行ってテレビジョン受信機のメニュー画面カスタマイズ機能を起動させ、その上で、メニュー自体の大きさやスタイル等といったメニュー画面構成や、メニュー画面中におけるフォントの大きさやタイプ，色合い，アイコン等といった画面表示態様を、予め組み込まれているカスタマイズ用データの中から選択して行うようになっている。
【特許文献１】特開平１１−３４６３５４号公報
【発明の開示】
【発明が解決しようとする課題】
【０００６】
しかしながら、従来のメニュー画面カスタマイズ機能は、そのカスタマイズ用データが製品出荷段階で既にメーカによって組み込まれた固定データであるため、ユーザがメニュー画面のカスタマイズを行う場合は、商品の設計段階で想定したスタイル，サイズ，色合い，アイコン等に関しての限られた選択肢の中からでしか、カスタマイズ用データを選択できなかった。そのため、ユーザは、メニュー画面のカスタマイズを行おうとしても、その嗜好を十分反映させることができなった。
【０００７】
本発明は上記問題点を鑑みてなされたものであって、多様の選択肢の中からユーザの嗜好にあったメニュー画面のスタイルを選択でき、メニュー画面の雰囲気や必要に応じてはその一部機能を多様に変更することができるデジタルテレビジョン受信機を提供することを目的とする。
【０００８】
また、本発明は、拡張性を有するメニュー画面カスタマイズ機能を備えたデジタルテレビジョン受信機、デジタルテレビジョン受信機のメニュー画面カスタマイズ方法、及びプログラムを提供することを目的とする。
【課題を解決するための手段】
【０００９】
本発明のデジタルテレビジョン受信機は、上記目的を達成するために、データ放送の所定チャンネルの所定ページを使用して、ユーザのテレビジョン受信機に備えられているメニュー画面カスタマイズ機能に合わせて送信される、メニュー画面のカスタマイズ用データに関してのスタイルシート（スキン)の中から、ユーザの嗜好にあったスタイルを選択することにより、当該選択したスタイルに対応するメニュー画面のカスタマイズ用データを当該データ放送を介して取得することを特徴とする。さらに、本発明のデジタルテレビジョン受信機は、この取得したカスタマイズ用データをそのメニュー画面に反映させることを特徴とする。
【００１０】
そのために、本発明のデジタルテレビジョン受信機は、メニュー設定手段を備えたデジタルテレビジョン受信機であって、データ放送の所定チャンネルを使用して送信されるメニュー画面のカスタマイズ用データの中から、選択したスタイルに対応するメニュー画面のカスタマイズ用データを取得するカスタマイズ用データ取得手段を備えていることを特徴とする。
【００１１】
また、本発明のデジタルテレビジョン受信機は、メニュー設定手段を備えたデジタルテレビジョン受信機であって、データ放送の所定チャンネルを使用して送信されるメニュー画面のカスタマイズ用データの中から、選択したスタイルに対応するメニュー画面のカスタマイズ用データを取得するカスタマイズ用データ取得手段と、該カスタマイズ用データ取得手段によって取得したカスタマイズ用データに合わせて前記メニュー設定手段におけるメニュー画面の対応するパラメータを更新するカスタマイズ制御手段とを備えていることを特徴とする。
【００１２】
また、本発明のデジタルテレビジョン受信機のメニュー画面カスタマイズ方法は、メニュー設定処理機能を備えたデジタルテレビジョン受信機のメニュー画面カスタマイズ方法であって、データ放送の所定チャンネルを使用して送信されるメニュー画面のカスタマイズ用データの中から、選択したスタイルに対応するメニュー画面のカスタマイズ用データを取得するカスタマイズ用データ取得ステップと、該カスタマイズ用データ取得ステップによって取得したカスタマイズ用データに合わせて前記メニュー設定処理機能におけるメニュー画面の対応するパラメータを更新するカスタマイズ制御ステップとを有することを特徴とする。
【００１３】
また、本発明のプログラムは、コンピュータを、メニュー設定手段と、データ放送の所定チャンネルを使用して送信されるメニュー画面のカスタマイズ用データの中から、選択したスタイルに対応するメニュー画面のカスタマイズ用データを取得するカスタマイズ用データ取得手段と、該カスタマイズ用データ取得手段によって取得したカスタマイズ用データに合わせて前記メニュー設定手段におけるメニュー画面の対応するパラメータを更新するカスタマイズ制御手段として機能させることを特徴とする。
【発明の効果】
【００１４】
本発明によれば、ユーザは、商品購入後であっても、ユーザ自身の手によってデータ放送を用いて受信機メニューのスタイルを、流行，トレンド，季節等に応じて、自身の嗜好にあったメニュー画面のスタイル自在に変更できる。
【００１５】
これに関係して、メニュー画面カスタマイズ手段を備えたデジタルテレビジョン受信機の開発段階すなわち製品出荷段階でのメニューをシンプルにすることができ、このシンプル化によってリモコン操作器等の操作性向上も期待できる。
【００１６】
また、本発明によれば、データ放送を介して提供される多様なメニュー画面のスタイルの中からユーザ毎に自身の嗜好にあったメニュー画面を取得する方式なので、その選択肢自体を広げることが可能になり、マイナユーザ（低年齢、高年齢、弱視等）のためのメニュー画面のスタイルを提供することも可能になる。
【発明を実施するための最良の形態】
【００１７】
本発明によるデジタル放送受信機の一実施の形態について、ＢＳ，ＣＳ，地上波デジタル放送を受信可能なデジタルテレビジョン受信機を例に、以下、図面とともに説明する。
【００１８】
図１は、本発明の一実施の形態に係るデジタルテレビジョン受信機の構成図である。
本実施の形態のデジタルテレビジョン受信機１は、ＢＳ/ＣＳ系アンテナ２ａ，地上波デジタル系アンテナ２ｂ，ＢＳ/ＣＳ系チューナ部３ａ，地上波デジタル系チューナ部３ｂ，ＢＳ/ＣＳ系復調回路部４ａ，地上波デジタル系復調回路部４ｂ，ＢＳ/ＣＳ系誤り訂正部５ａ，地上波デジタル系誤り訂正部５ｂ，トランスポートデコーダ部６，ＭＰＥＧ（（Moving Picture Experts Group）デコーダ部７，ＯＳＤ（On Screen Display）表示部８，ビデオエンコーダ部９，音声ＤＡＣ（Digital to Analog Converter）部１０，ＣＰＵ１１，フラッシュメモリ（Flash ＲＯＭ(Read Only Memory)）１２，システムソフト１３，ＲＡＭ（Random Access Memory）１４，入力Ｉ/Ｆ（Interface）１５，ポート（Port）１６，モデム（Modem）１７，及び操作部としてのリモコン３０を備えて構成されている。
【００１９】
ＢＳ/ＣＳ系チューナ部３ａには、ＢＳ/ＣＳ系アンテナ２ａによって受信された放送衛星（ＢＳ）や通信衛星（ＣＳ）から送信されるデジタル衛星放送信号が入力される。ＢＳ/ＣＳ系チューナ部３ａは、後述するユーザの選局指示に従って、所定のデジタル放送ネットワークの放送チャンネルに関するデジタル衛星放送信号を選局受信し、ＢＳ/ＣＳ系復調回路部４ａに供給する。ＢＳ/ＣＳ系復調回路部４ａは、ＢＳ/ＣＳ系チューナ部３ａで選局受信したデジタル衛星放送信号をデジタル復調する。ＢＳ/ＣＳ系誤り訂正部５ａは、デジタル復調されたデジタル衛星放送信号の誤りに関する修復や訂正を施し、トランスポートストリームデータとして再生する。そして、これらＢＳ/ＣＳ系チューナ部３ａ，ＢＳ/ＣＳ系復調回路部４ａ，及びＢＳ/ＣＳ系誤り訂正部５ａは、デジタルテレビジョン受信機１におけるＢＳ/ＣＳ系のフロントエンド部１８ａを構成する。
【００２０】
一方、地上波デジタル系チューナ部３ｂには、地上波デジタル系アンテナ２ｂによって受信された地上波デジタル放送信号が入力される。地上波デジタル系チューナ部３ｂは、後述するユーザの選局指示に従って、所定の放送チャンネルに関する地上波デジタル放送信号を選局受信し、地上波デジタル系復調回路部４ｂに供給する。地上波デジタル系復調回路部４ｂは、地上波デジタル系チューナ部３ｂで選局受信した地上波デジタル放送信号をデジタル復調する。地上波デジタル系誤り訂正部５ｂは、デジタル復調された地上波デジタル放送信号の誤りに関する修復や訂正を施し、トランスポートストリームデータとして再生する。そして、これら地上波デジタル系チューナ部３ｂ，地上波デジタル系復調回路部４ｂ，及び地上波デジタル系誤り訂正部５ｂは、地上波デジタル系のフロントエンド部１８ｂを構成する。このＢＳ/ＣＳ系のフロントエンド部１８ａ及び地上波デジタル系のフロントエンド部１８ｂからなるデジタルテレビジョン受信機１のフロントエンド部１８の出力は、選択的にトランスポート部１９に供給される。
【００２１】
トランスポート部１９は、トランスポートデコーダ部６を備えている。トランスポートデコーダ部６は、デジタル衛星放送信号及び地上波デジタル放送信号のＭＰＥＧ符号化されているトランスポートストリームデータに含まれている放送映像信号，放送音声信号と、データ信号とを分離する。トランスポートデコーダ部６には、視聴者が選択受信したデジタル放送信号のデジタル放送ネットワークに応じて、ＢＳ/ＣＳ系のフロントエンド部１８ａ又は地上波デジタル系のフロントエンド部１８ｂの中の対応する側から、誤り訂正されたデジタル放送信号のトランスポートストリームデータが供給される。そして、このトランスポート部１９で分離されたＭＰＥＧ符号化されている放送映像信号及び放送音声信号は、ＭＰＥＧデコード部２０に供給される。また、トランスポート部１９で分離されたデータ信号は、ＣＰＵ１１に供給され、システムソフト１３に基づいて処理される。
【００２２】
ＭＰＥＧデコード部２０は、ＭＰＥＧ符号化されている放送映像信号及び放送音声信号を復号化し、接続されている図示省略したテレビジョン受像機やオーディオ装置に映像出力や音声出力を供給出力する。ＭＰＥＧデコード部２０は、ＭＰＥＧデコーダ７，ＯＳＤ表示部８，ビデオエンコーダ部９，及び音声ＤＡＣ部１０を備えている。ＭＰＥＧデコード部２０は、トランスポートデコーダ部６によって分離されたＭＰＥＧ符号化されている放送映像信号及び放送音声信号それぞれのデータ復調（復号）を行い、ビデオエンコーダ部９及び音声ＤＡＣ部１０に供給する。ＯＳＤ表示部８は、メニューや電子番組表をテレビジョン受像機の画面上に表示するためのＯＳＤ信号を生成し、ビデオエンコーダ部９に供給する。ビデオエンコーダ部９は、ＭＰＥＧデコード部２０でデータ復調された放送映像信号とＯＳＤ表示部８から供給されるＯＳＤ信号とを重畳して、映像出力として接続されるテレビジョン受像機に適したビデオ信号に生成して出力する。音声ＤＡＣ部１０は、ＭＰＥＧデコード部２０でデータ復調された放送音声信号を、音声出力として接続されるオーディオ装置に適した音声信号に生成して出力する。
【００２３】
ＣＰＵ１１は、デジタルテレビジョン受信機１のフロントエンド部１８，トランスポート部１９，ＭＰＥＧデコード部２０とそれぞれ接続されているとともに、フラッシュメモリ１２，ＲＡＭ１４，入力Ｉ/Ｆ１５，ポート１６ともそれぞれ接続されている。ＣＰＵ１１は、通常、ユーザのリモコン操作に基づきリモコン３０から入力Ｉ/Ｆ１５を介して供給されるコントロール信号に基づき、フラッシュメモリ１２中のシステムソフト１３によってその処理を管理・制御され、デジタルテレビジョン受信機１の上述した各部の制御を行う。例えば、ＣＰＵ１１は、受信した放送チャンネルのデジタル衛星放送信号や地上波デジタル放送信号のトランスポートストリームデータにデータ信号として含まれている番組配列情報（SI：Service Information）のＰＡＴやＰＭＴ等の情報をトランスポートデコーダ部６から取得してＲＡＭ１４内に貯え、これら情報を用いて電子番組表を生成する。また、ＣＰＵ１１は、ポート１６を介し、公衆回線５０に接続されたモデム１７を介して、ＢＳ，ＣＳ，又は地上波デジタル放送の放送局との間で各種データの送・受信を行う。さらに、ユーザのリモコン操作に基づき、ＢＳ/ＣＳ系チューナ部３ａ又は地上波デジタル系チューナ部３ｂを制御して、ＢＳ，ＣＳ，又は地上波デジタル放送における所定の放送チャンネルを選局させたり、メニュー画面や電子番組表をＯＳＤ表示部８及びビデオエンコーダ部９を介して接続されたテレビジョン受像機の画面上に映像出力したり、等する。
【００２４】
図２は、本発明の一実施の形態に係るデジタルテレビジョン受信機のリモコンの外観図である。
図２に示すように、リモコン３０には、デジタルテレビジョン受信機１の操作部として、各種操作キー（操作片）３１が設けられている。図２において、３２は電源キー、３３はテンキーを兼ねた“１”〜“１２”の直接選局キー、３４は地上波デジタル放送，ＢＳ放送，又はＣＳ放送といった受信デジタル放送ネットワークを切り替えるためのネットワーク選択キー、３５は電子番組表を表示するための電子番組表表示キー、３６はメニュー画面に基づくメニュー設定作業の開始又は終了を指示するためのメニューキー、３７は設定入力する項目を選択する場合等に用いる方向キー、３８は方向キーの操作によって選択された項目を入力設定するための登録キーである。
【００２５】
次に、本実施の形態のデジタルテレビジョン受信機１におけるメニュー設定構成について説明する。
【００２６】
図３は、本実施の形態のデジタルテレビジョン受信機におけるメニュー設定構成のシステム図である。
図３において、４０はメニュー設定処理手段である。メニュー設定処理手段４０は、図１に示したフラッシュメモリ１２に記憶されたシステムソフト１３の中の一つのメニュー設定処理プログラムをＣＰＵ１１が実行することによって構成される。
【００２７】
メニュー設定処理手段４０は、入力Ｉ/Ｆ１５を介して供給される、図２に示したリモコン３０のメニューキー３６のユーザ操作信号に基づき、起動又は停止させられる。
【００２８】
メニュー設定処理手段４０は、その起動によって、ＯＳＤ表示部８を作動制御して、ビデオエンコーダ部９から図示せぬテレビ受像機にメニュー画面表示信号（この場合は、メインメニュー画面表示信号）を供給する。
【００２９】
そして、メニュー設定処理手段４０は、メニューキー３６のユーザ操作信号が再入力されてユーザによるメニュー設定操作が終了するまでの間、リモコン３０の方向キー３７や登録キー３８、さらにはテンキーを兼ねた直接選局キー３３のユーザ操作信号に基づき、メニュー画面の制御表示を行いながら、デジタルテレビジョン受信機１の各種設定を行う構成になっている。
【００３０】
図４は、メニュー設定操作開始によりビデオエンコーダ部から出力されるメインメニュー画面の一例を示した図である。
【００３１】
すなわち、メニュー設定処理操作の開始時には、メニュー設定処理手段４０によって図４に示すようなメニュー画面１００がテレビジョン受像機に表示される。図４は、メニュー画面１００として、メインメニューとしての“映像調整”，“音声調整”，“省エネ設定”，・・・といった選択メニュー項目１０１と、リモコン３０のキー操作案内１０２が表示されている状態を示している。
【００３２】
このようにして、メニュー設定処理手段４０は、リモコン３０からの上述した操作信号に基づき、メニュー画面の制御表示を行いながら、デジタルテレビジョン受信機１の各種設定を行う。その際、メニュー設定処理手段４０は、パラメータ４１として設定されたパラメータデータにしたがって、その処理進行や、表示するメニュー画面を制御する構成になっている。
【００３３】
５０は、製品製造段階で予め設定された、メニュー自体の大きさやスタイル等といったメニュー画面構成、メニュー画面中におけるフォントの大きさやタイプ，色合い，アイコン等といった画面表示態様に関するデータが記憶されているデフォルトデータ記憶手段である。このデフォルトデータ記憶手段５０は、前述した“映像調整”の選択メニュー項目１０１を例に挙げて説明すれば、その色データ，機能データ，構成ビットマップ，フォントサイズ及びタイプ、等といった表示関係データが、製品製造段階でデフォルトデータとしてフラッシュメモリ１２に記憶されて構成される。これに対応させて、メニュー設定処理手段４０のパラメータ４１には、当初は、製品製造段階でこのデフォルトデータ記憶手段５０に記憶されている対応するデフォルトデータのパラメータデータが設定される。
【００３４】
さらに、本実施の形態のデジタルテレビジョン受信機１は、図３に示したカスタマイズ用データ取得手段６０，カスタマイズ制御手段７０，及びカスタマイズ用データ格納記憶手段８０を備えている。
【００３５】
本実施の形態では、カスタマイズ用データ取得手段６０は、図１に示したＣＰＵ１１がフラッシュメモリ１２に記憶されたシステムソフト１３の中のカスタマイズ用データ取得プログラムを、また、カスタマイズ制御手段７０はＣＰＵ１１がシステムソフト１３の中のカスタマイズ制御プログラムを実行することによって構成される。また、カスタマイズ用データ格納記憶手段８０は、ユーザがその嗜好に合わせて取得したメニュー画面のカスタマイズ用データが格納記憶される。このカスタマイズ用データ格納記憶手段８０は、デジタルテレビジョン受信機１の電源状態に関係なく記憶保持可能なようにフラッシュメモリ１２に構成される。
【００３６】
次に、これらカスタマイズ用データ取得手段６０，カスタマイズ制御手段７０によるメニュー画面のカスタマイズ処理について説明する。
【００３７】
ここで、メニュー画面のカスタマイズ用データは、予め定められたテレビジョン放送局のデータ放送チャンネルで、後述のメニュープログラムやメニューデータと同様に、カルーセルデータで送信されてくる。このメニュー画面のカスタマイズ用データは、デジタルテレビジョン受信機１に備えられたメニュー設定処理手段４０の形式に応じて、メニュー画面のスタイルが同じであっても、デジタルテレビジョン受信機１の機種毎に対応させたそれぞれ別のデータとして送信されてくる。ユーザは、デジタルテレビジョン受信機１のチューナ部３によってこのデータ放送チャンネルを選局受信することによって、カスタマイズ用データ取得手段６０により自身の嗜好にあったメニュー画面を取得する。
【００３８】
ここで、当該データ放送チャンネルでカルーセルデータで送信されてくる各カスタマイズ用データは、色データ，機能データ，構成ビットマップ，フォントサイズ及びタイプ、等といった表示関係データと、メニュー設定処理手段４０の対応するパラメータ４１を示す更新パラメータとから構成されている。
【００３９】
図５は、メニュー画面のカスタマイズ処理のフローチャートである。
まず、ユーザは、例えば、リモコン３０のテンキーを兼ねた“１”〜“１２”の直接選局キー３３等を操作して、上述したメニュー画面のカスタマイズ用データを送信しているデータ放送チャンネルを選局操作する。これにより、デジタルテレビジョン受信機１は、ＣＰＵ１１がチューナ部３を制御してこのデータ放送チャンネルの受信を開始する（ステップＳ01）。これにより、トランスポート部１９で分離された当該データ放送チャンネルのデータ信号はＣＰＵ１１に供給され、カスタマイズ用データ取得手段６０によって処理される。
【００４０】
本実施の形態の場合、カスタマイズ用データ取得手段６０は、まず、当該データ放送チャンネルを介して送信されてくるデータ信号の中から、予めそのデータ識別が定められているカスタマイズ用データ選択作業のためのメニュープログラムを取得し、例えばＲＡＭ１４に記憶する。この場合、カスタマイズ用データ選択作業のためのメニュープログラムには、各種カスタマイズ用データを取得するために用いるメニューデータの識別（インデックス）と、そのメニューデータの取得順が含まれている。
【００４１】
次に、カスタマイズ用データ取得手段６０は、このメニュープログラムによるメニューデータ識別及び取得順に基づいて、取得順が１番目のメニューデータ識別に該当するメニューデータの取得を行う。本実施の形態の場合では、取得順が１番目のメニューデータ識別に該当するメニューデータとして、機種選択メニューデータを取得するものとする。
【００４２】
この機種選択メニューデータには、そのメニュー画面SC02のＯＳＤデータと、カスタマイズ用データの対応する機種毎の機種識別データとが含まれている。
【００４３】
ユーザは、ＯＳＤ表示部８によってビデオエンコーダ部９を介してテレビジョン受像機に表示される機種選択メニュー画面SC02を確認しながら、自身が使用しているデジタルテレビジョン受信機１の機種をリモコン３０を操作して選択設定する。この設定操作を受けて、カスタマイズ用データ取得手段６０は、データ放送局からの設定機種に対応したカスタマイズ用データの送信用の機種識別データを、後述のカスタマイズ用データのダウンロードに備えてＲＡＭ１４に記憶保持する（ステップＳ02）。
【００４４】
次に、カスタマイズ用データ取得手段６０は、メニュープログラムによるメニューデータ識別及び取得順に基づいて、取得順が２番目のメニューデータ識別に該当するメニューデータの取得を行う。本実施の形態の場合では、カスタマイズイメージのイメージ選択メニューデータを取得するものとする。 このイメージ選択メニューデータには、そのメニュー画面SC03のＯＳＤデータと、カスタマイズ用データの対応するイメージ毎のイメージ識別データが含まれている。
【００４５】
図示したメニュー画面SC03の例では、カスタマイズ用データを、春・夏・秋・冬といった季節イメージの中から１項目、シンプル，一覧重視，原色重視，機能重視といった画面イメージの中から１項目、ユーザはその嗜好に合わせてそれぞれ選択できるようになっている。
【００４６】
ここで、ユーザは季節イメージの中、春・夏・秋・冬のいずれか一つをリモコン３０を操作して選択設定することによって、カスタマイズ用データ取得手段６０は、選択した季節（例えば、“夏”）に対応したカスタマイズ用データの季節イメージ識別データを、後述する実際のカスタマイズ用データのダウンロードに備えてＲＡＭ１４に保持記憶する。
【００４７】
また、ユーザは、さらにシンプル，一覧重視，原色重視，機能重視といった画面イメージの各項目の中からいずれか一つをリモコン３０を操作して選択設定することによって、カスタマイズ用データ取得手段６０は、選択した画面イメージ（例えば、“シンプル”）に対応したカスタマイズ用データの画面イメージ識別データを、後述する実際のカスタマイズ用データのダウンロードに備えてＲＡＭ１４に保持記憶する（ステップＳ03）。
【００４８】
本実施の形態の場合は、理解容易のため、カスタマイズ用データ取得手段６０は、これら機種識別データ，季節識別データ，画面イメージ識別データがユーザによって設定されると、当該データ放送チャンネルでカルーセルデータで送信されてくる各種カスタマイズ用データの中から、ＲＡＭ１４に保持記憶された機種識別データ，季節イメージ識別データ，画面イメージ識別データに該当するカスタマイズ用データの取得（ダウンロード）を行う。ダウンロードされたカスタマイズ用データは、カスタマイズ制御手段７０によって、カスタマイズ用データ格納記憶手段８０に記憶される（ステップＳ04）。カスタマイズ用データ取得手段６０は、このカスタマイズ用データの取得中は、ＯＳＤ表示部８を制御して、“カスタマイズ用データのダウンロード中”の表示画面SC04をビデオエンコーダ部９から出力させる。
【００４９】
そして、カスタマイズ制御手段７０は、ダウンロードしたカスタマイズ用データのカスタマイズ用データ格納記憶手段８０への記憶が終了すると、そのカスタマイズ用データに含まれる更新パラメータに基づいて、メニュー設定処理手段４０の対応するパラメータ４１のパラメータデータを、デフォルトデータ記憶手段５０に記憶されている対応するデフォルトデータのパラメータデータから、今回取得したカスタマイズ用データ格納記憶手段８０に記憶されている対応するカスタマイズ用データのパラメータデータに更新する（ステップＳ05）。
【００５０】
カスタマイズ制御手段７０は、メニュー設定処理手段４０のパラメータ４１のパラメータデータの更新が終了すると、メニュー設定処理手段４０を作動させてカスタマイズされたメニュー画面（メインメニュー画面）SC06を表示させて、ユーザにメニュー画面のカスタマイズ処理の完了を報知する（ステップＳ06）。
【００５１】
図６〜図９は、本実施の形態のテレビジョン受信機によってカスタマイズ処理したメニュー画面（メインメニュー画面）の一実施例を示した図である。
【００５２】
図６は、図５に示したメニュー画面のカスタマイズ処理で、季節イメージとして“春”のみを選択し、画面イメージを選択しなかった場合のメインメニュー画面を示す。
【００５３】
この場合のメインメニュー画面１００-1では、例えば“春”としての新緑１０３が季節イメージ表示として画面下側に表示され、画面上側には、予め標準的な仕様として定められたフォントの大きさやタイプ，色合い，アイコンで、選択メニュー項目１０１と、リモコン３０のキー操作案内１０２とが表示される。
【００５４】
図７は、図５に示したメニュー画面のカスタマイズ処理で、季節イメージとして“春”を、画面イメージとして“シンプル”を選択した場合のメインメニュー画面を示す。
【００５５】
この場合のメインメニュー画面１００-2では、例えば“春”としての新緑１０３、及び選択メニュー項目１０１と、リモコン３０のキー操作案内１０２が、画面１０１-1に比してシンプルな仕様で表示される。
【００５６】
図８は、図５に示したメニュー画面のカスタマイズ処理で、季節イメージとして“春”を、画面イメージとして“一覧重視”を選択した場合のメインメニュー画面を示す。
【００５７】
この場合のメインメニュー画面１００-3では、例えば選択メニュー項目１０１の下位の選択メニュー項目１０１ａも一緒に表示され、一覧できるようになる。
【００５８】
図９は、図５に示したメニュー画面のカスタマイズ処理で、季節イメージとして“春”を、画面イメージとして“機能重視”を選択した場合のメインメニュー画面を示す。
【００５９】
この場合のメインメニュー画面１００-4では、例えば製品製造段階から備えられていたメニューではあるものの、製品出荷段階では選択メニュー項目として隠されていた選択メニュー項目１０１ｂが、選択メニュー項目１０１に新たに追加される。
【００６０】
なお、図示省略したが、図５に示したメニュー画面のカスタマイズ処理で、季節イメージとして“春”を、画面イメージとして“原色重視”を選択した場合は、例えば特定の色を使用しない表示がなされる。
【００６１】
以上説明した、本実施の形態のデジタルテレビジョン受信機１によれば、データ放送を介して提供される多様なメニュー画面のスタイルの中から、ユーザは自身の嗜好にあったメニュー画面を取得することができるので、その選択肢自体を広げることが可能になる。
【００６２】
なお、本実施の形態のデジタルテレビジョン受信機１では、理解容易のためカスタマイズ処理のためのメニュー選択画面は、図５に示した画面SC02，SC03の２画面で構成され、イメージの選択も、それぞれ４つの季節イメージと画面イメージにより説明したが、メニュー選択画面は多数のメニュー画面が相互に階層関係を有して多層に構成されていてもよい。また、その選択肢も、上述した範疇、項目に限られるものではない。例えば、子供用に、メニュー画面の個別メニューをカタカナ表示したり、高齢者用にメニュー画面のフォントを大きくしたり、頻繁に使用しないメニュー設定項目の表示を省略したり、放送局側の対応のみで種々の選択肢の適用が可能である。
【００６３】
さらに、上述した実施の形態では、デジタルテレビジョン受信機１を例に説明したが、図３に示したようなメニュー設定システム、及び図５に示したようなメニュー画面のカスタマイズ処理をプログラムとして記憶媒体に記憶しておくようにすれば、記憶媒体のデータ読み出し手段を備えたＤＶＤ（Digital Video [ Versatile ] Disk）や、放送番組受信機能が備えられたパーソナルコンピュータや表示装置、放送番組をＣＡＴＶ用セットトップボックスを介して視聴する表示装置等を、上述した実施の形態のデジタルテレビジョン受信機１と同様に機能させることができる。
【００６４】
なお、上述した実施の形態で説明した所定のデータ放送チャンネルから画面メニューのカスタマイズ用データを取得する具体的な処理については、種々の変形例が可能である。
【図面の簡単な説明】
【００６５】
【図１】本発明の一実施の形態に係るデジタルテレビジョン受信機の構成図である。
【図２】本発明の一実施の形態に係るデジタルテレビジョン受信機のリモコンの外観図である。
【図３】本実施の形態のデジタルテレビジョン受信機におけるメニュー設定構成のシステム図である。
【図４】メニュー設定操作開始によりビデオエンコーダ部から出力されるメインメニュー画面の一例を示した図である。
【図５】本実施の形態のデジタルテレビジョン受信機によるメニュー画面のカスタマイズ処理のフローチャートである。
【図６】本実施の形態のテレビジョン受信機によってカスタマイズ処理したメニュー画面（メインメニュー画面）の一実施例を示した図である。
【図７】本実施の形態のテレビジョン受信機によってカスタマイズ処理したメニュー画面（メインメニュー画面）の別の実施例を示した図である。
【図８】本実施の形態のテレビジョン受信機によってカスタマイズ処理したメニュー画面（メインメニュー画面）の別の実施例を示した図である。
【図９】本実施の形態のテレビジョン受信機によってカスタマイズ処理したメニュー画面（メインメニュー画面）のさらに別の実施例を示した図である。
【符号の説明】
【００６６】
１  デジタルテレビジョン受信機
６  トランスポートデコーダ部
８  ＯＳＤ表示部
９  ビデオエンコーダ部
１１  ＣＰＵ
１２  フラッシュメモリ
１３  システムソフト
１４  ＲＡＭ
１５  入力Ｉ/Ｆ
１６  ポート
１７  モデム
１８  フロントエンド部、１８ａ  ＢＳ/ＣＳ系フロントエンド部、１８ｂ  地上波デジタル系のフロントエンド部、
１９  トランスポート部
２０  ＭＰＥＧデコード部
３０  リモコン
３１  操作キー
３２  電源キー
３６  メニューキー
４０  メニュー設定処理手段
５０  デフォルトデータ記憶手段
６０  カスタマイズ用データ取得手段
７０  カスタマイズ制御手段
８０  カスタマイズ用データ格納記憶手段
【図１】
2005341026.tif 000003
【図２】
2005341026.tif 000004
【図３】
2005341026.tif 000005
【図４】
2005341026.tif 000006
【図５】
2005341026.tif 000007
【図６】
2005341026.tif 000008
【図７】
2005341026.tif 000009
【図８】
2005341026.tif 000010
【図９】
2005341026.tif 000011